(57)【要約】【課題】テレビ会議の記録と再生の機能を低価格で実現し、且つ、遠隔の他の地点においても容易に再生できるテレビ会議システムを提供することにある。【解決手段】複数の地点のネットワーク回線５〜８にそれぞれ接続したテレビ会議ユニット１〜４と、前記ネットワーク回線５〜８の少なくとも一つに接続したレコーダー１６とを有し、前記テレビ会議ユニット１と前記レコーダー１６との間にコンバータ１８を設置し、前記テレビ会議ユニット１から送出するアナログデータを前記コンバータ１８により圧縮処理を行ったデジタルデータに変換して、前記レコーダー１６に記録したものである。【選択図】図１
2012044444.tif 000002
【特許請求の範囲】
【請求項１】
複数の地点のネットワーク回線にそれぞれ接続したテレビ会議ユニットと、前記ネットワーク回線の少なくとも一つに接続したレコーダーとを有し、前記テレビ会議ユニットと前記レコーダーとの間をコンバータを介して電気的に接続し、前記テレビ会議ユニットから送出するアナログデータを前記コンバータにより圧縮処理を行ったデジタルデータに変換して、前記レコーダーに記録したことを特徴とするテレビ会議システム。
【請求項２】
前記テレビ会議ユニットはコーデック部とハードウェアとから構成され、前記アナログデータが前記コーデック部で復元したデータ及び前記ハードウェアから出力されたデータである、
請求項１に記載のテレビ会議システム。
【請求項３】
前記ハードウェアは映像機器、音声機器及び情報機器からなる、
請求項２に記載のテレビ会議システム。
【請求項４】
前記情報機器により前記レコーダーに対して記録及び再生の操作ができる、
請求項３に記載のテレビ会議システム。
【発明の詳細な説明】
【技術分野】
【０００１】
本発明は、ＩＰネットワークを利用した遠隔の多地点間でのテレビ会議システム、特に、テレビ会議の記録及び再生を簡便に行えるようにしたテレビ会議システムに関するものである。
【背景技術】
【０００２】
近年、企業における会議などによるコミュニケーション、文教関係における遠隔教育又は医療活動における遠隔医療などにおいてテレビ会議が普及している。そして、使い易さ、コスト面等からＩＰネットワークを利用したシステムが主流となっている。
【０００３】
また、テレビ会議の内容を記録することについて、役員会議・営業会議を始めとした各種会議の議事録としての利用、コンプライアンスのための記録・保管、又は、講習会・研修・商品説明などのプレゼンテーションとしての再利用等、そのニーズが高い。しかも、記録（録画・録音）したテレビ会議は、いつでも、どこでも容易に再生可能であることが求められている。
【０００４】
そこで、従来例のテレビ会議システムの構成の概略図を図２により説明すると、同図は本社と支社Ａ、Ｂ及びＣの多地点間におけるテレビ会議システムを例示している。本社及び各支社Ａ、Ｂ、Ｃに設置したそれぞれテレビ会議ユニット１、２、３及び４が各拠点のネットワーク回線５、６、７及び８を介してＩＰネットワーク９に接続している。
【０００５】
テレビ会議ユニット１〜４の構成は、大きくコーデック部１０とハードウェア１１に区分できる。ハードウェア１１は図示していないがカメラ、ディスプレイなどの映像機器、及びマイク、スピーカなどの音声機器、さらにＰＣなどの情報機器などから構成される。コーデック部１０はカメラが撮った画像やマイクが拾った音声をアナログデータからデジタルデータに変換し、さらに圧縮処理を行ってデータサイズを少なくした上で相手側に送信する。それと同時に、送信されてきたデジタルデータをアナログデータとして復元し、映像はディスプレイへ音声はスピーカへ出力する。
【０００６】
そして、テレビ会議の記録のために、民生用のＨＤＤレコーダー１２を接続している。すなわち、カメラが撮った画像のアナログデータやマイクが拾った音声のアナログデータはハードウェア１１からＨＤＤレコーダー１２に入力して記録する。また、コーデック部１０で復元された映像及び音声のアナログデータを前記ＨＤＤレコーダ１２に入力して記録するものである。
【０００７】
他の従来例のテレビ会議システムの構成の概略図を図３により説明すると、基本的な構成は図２の従来例と同じで、同一部品には同一番号が付してある。相違点は、本社側にテレビ会議用の専用レコーダー１３が設置され、ネットワーク回線５に直接接続させている点である。該専用レコーダー１３はネットワーク回線５のデータの監視機能及びキャプチャー機能を有し、圧縮されたデジタルデータをそのまま記録するものである。
【発明の概要】
【発明が解決しようとする課題】
【０００８】
テレビ会議の記録に前記従来例の民生用のＨＤＤレコーダー１２を用いたものは、価格が１０万円から３０万円と極めて安い。しかしながら、再生は該ＨＤＤレコーダー１２を設置したその場所、すなわち本社でしか行えないため、他の拠点（支社Ａ、Ｂ又はＣ）で再生したい場合には、ＤＶＤ等の媒体に書き込んでから配布しなければならず、非常に煩雑である。
【０００９】
一方、ネットワーク回線５に専用レコーダー１３を接続した他の従来例については、ネットワーク回線５を通じて、他の拠点である支社Ａ、Ｂ又はＣからも専用レコーダー１３の再生が可能である。しかしながら、かかる専用レコーダー１３はネットワーク回線５に流れるデータを記録するため、監視機能、キャプチャー機能などの高度な機能を備える必要があり、一台の単価が４百〜５百万円と極めて高額になる欠点がある。
【００１０】
本発明はかかる事情に鑑みてなされたものであり、その目的は、テレビ会議の記録と再生の機能を低価格で実現し、且つ、遠隔の複数の地点の何れの地点においてもテレビ会議の記録データを容易に再生できるテレビ会議システムを提供することにある。
【課題を解決するための手段】
【００１１】
本発明に係るテレビ会議システムは、複数の地点のネットワーク回線にそれぞれ接続したテレビ会議ユニットと、前記ネットワーク回線の少なくとも一つに接続したレコーダーとを有し、前記テレビ会議ユニットと前記レコーダーとの間をコンバータを介して電気的に接読し、前記テレビ会議ユニットから送出するアナログデータを前記コンバータにより圧縮処理を行ったデジタルデータに変換して、前記レコーダーに記録したことを特徴とする。
【００１２】
好適に、前記テレビ会議ユニットはコーデック部とハードウェアとから構成され、前記アナログデータが前記コーデック部で復元したデータ及び前記ハードウェアから出力されたデータである。
【００１３】
好適に、前記ハードウェアは映像機器、音声機器及び情報機器からなる。
【００１４】
好適に、前記情報機器により前記レコーダーに対して記録及び再生の操作ができる。
【発明の効果】
【００１５】
本発明によれば、テレビ会議の記録は、テレビ会議ユニットのアナログデータを別に設置したコンバータでデジタルデータに変換してレコーダーに記録するものであり、レコーダーは記録再生のみの機能を有すればよいので低コストに抑えることができる。しかも、他の地点に設置したテレビ会議ユニットの何れからでもネットワーク回線を介して前記レコーダーにアクセスして、容易に記録データを再生することができる。
【図面の簡単な説明】
【００１６】
【図１】本発明の実施形態に係るテレビ会議システムの構成を示す概略図である。
【図２】従来例に係るテレビ会議システムの構成を示す概略図である。
【図３】他の従来例に係るテレビ会議システムの構成を示す概略図である。
【発明を実施するための形態】
【００１７】
図１は、本発明の実施形態に係るテレビ会議システムの構成を示す概略図である。前記従来例と同様に、本社と、遠隔の多地点にある支社Ａ、Ｂ及びＣとの間におけるＩＰネットワーク９を介したテレビ会議システムを例示している。なお、従来例と同一部品は同一番号を付してある。
【００１８】
本社、各支社Ａ、Ｂ及びＣにはそれぞれテレビ会議ユニット１、２、３及び４を設置し、各テレビ会議ユニット１、２、３及び４は各拠点におけるネットワーク回線５、６、７及び８にそれぞれ接続している。
【００１９】
前記テレビ会議ユニット１〜４の基本構成について、本社のテレビ会議ユニット１には図示し、支社Ａ〜Ｃには図示していないが、それぞれ同一である。本社において、テレビ会議ユニット１はコーデック部１０とハードウェア１１とから成り、コーデック部１０及びハードウェア１１の機能・構成は前記従来例で記述したとおりである。コーデック部１０がネットワーク回線５に配線１４により接続し、デジタルデータの送受信を行っている。また、該コーデック部１０に前記ハードウェア１１が配線１５により接続され、アナログデータなどの送受信を行っている。
【００２０】
また、本社側にだけレコーダー１６が設置され、該レコーダー１６がネットワーク回線５に配線１７で直接接続されている。しかし、該レコーダー１６は図３の従来例の専用レコーダー１３のようにネットワーク回線５を流れるデジタルデータの監視機能やキャプチャー機能は備えていない。レコーダー１６の機能は記録と再生に絞ることができ、コストの大幅な低減が可能である。
【００２１】
また、コンバータ１８が、前記コーデック部１０とハードウェア１１との間において配線１９により接続され、且つ、前記レコーダー１６との間で配線２０で接続されている。従って、ハードウェア１１のカメラが撮った画像のアナログデータやマイクが拾った音声のアナログデータが配線１９を介してコンバータ１８に入力され、該コンバータ１８が該アナログデータをデジタルデータに変換し、且つＭＰＥＧ４などに圧縮処理して、配線２０を介して前記レコーダー１６に記録することができる。
【００２２】
また、ネットワーク回線５から配線１４を介してテレビ会議ユニット１に入力される映像及び音声のデジタルデータは、コーデック部１０でアナログデータに復元される。該アナログデータは前述したのと同様に配線１９を介してコンバータ１８に入力され、再度デジタルデータに圧縮変換されて、レコーダー１６に記録される。なお、本方式は、映像がハイビジョン方式であっても対応可能である。
【００２３】
レコーダー１６に記録されたデジタルデータについては、レコーダー１６がネットワーク回線５に接続しているため、遠隔の支社Ａ、Ｂ又はＣはＩＰネットワーク９を介して何時でもレコーダー１６にアクセスすることができ、記録データの再生を容易にすることができる。また、本テレビ会議システムのレコーダー１６とコンバータ１８に掛かる費用は併せても５０万円程度と安価に抑えることができる。
【００２４】
テレビ会議の記録や再生は、ネットワーク回線上のＰＣなどの情報機器のブラウザで簡単に行える。すなわち、録画は録画可能な時間を確認して、録画ボタンを押すだけで果たせる。再生は、録画一覧から見たい録画映像を選択して再生できる。プレビューやダウンロード再生、ストリーミング再生等、環境に合わせた再生方法を選ぶことができる。ＰＣ又は携帯端末にダウンロードすることにより、外出先や自宅で再生が可能である。
【００２５】
以上説明したように、本実施形態によれば、テレビ会議ユニット１のアナログデータを別に設置したコンバータ１８でデジタルデータに変換してレコーダー１６に記録するものであり、レコーダー１６は記録再生のみの機能を有すればよいので低コストに抑えることができる。しかも、他の地点に設置したテレビ会議ユニット２〜４の何れからでもネットワーク回線５〜８及びＩＰネットワーク９を介して前記レコーダー１６にアクセスして、容易に記録データを再生することができる。
【００２６】
本発明は上述した実施形態に限定されるものではなく、種々のバリエーションを含んでいる。
【００２７】
例えば、上述の実施形態では、本社と支社Ａ、Ｂ及びＣとの４地点間におけるテレビ会議システムを説明したが、本社と支社１社との２地点間でのテレビ会議システムにおいても含まれる。
【００２８】
上述の実施形態では、レコーダー１６とコンバータ１８を本社に設置した場合で説明したが、本社の代わりに支社Ａ、Ｂ及びＣの何れかに設置しても良いことは勿論である。
【符号の説明】
【００２９】
１，２，３，４…テレビ会議ユニット、５，６，７，８…ネットワーク回線、９…ＩＰネットワーク、１０…コーデック部、１１…ハードウェア、１６…レコーダー、１８…コンバータ
【図１】
2012044444.tif 000003
【図２】
2012044444.tif 000004
【図３】
2012044444.tif 000005